(57)【要約】【課題】熱や物理力をかけずに高い洗浄力を発揮する液体洗浄剤組成物を提供すること。【解決手段】（Ａ）成分、（Ｂ）成分、及び（Ｃ）成分を含み、前記（Ａ）成分がアニオン界面活性剤であり、前記（Ｂ）成分が特定の化合物であり、前記（Ｃ）成分が両性界面活性剤、及びアミンオキシド型界面活性剤からなる群から選択される少なくとも１種であり、前記（Ａ）成分／前記（Ｂ）成分で表される質量比が０．０６〜４５である、液体洗浄剤組成物。【選択図】なし【特許請求の範囲】
【請求項１】
（Ａ）成分、（Ｂ）成分、及び（Ｃ）成分を含み、
前記（Ａ）成分がアニオン界面活性剤であり、
前記（Ｂ）成分が下記式（Ｂ−Ｉ）で表される化合物であり、
前記（Ｃ）成分が両性界面活性剤、及びアミンオキシド型界面活性剤からなる群から選択される少なくとも１種であり、
前記（Ａ）成分／前記（Ｂ）成分で表される質量比が０．０６〜４５である、液体洗浄剤組成物。
【化１】
2019172764.tif 000009
式（Ｂ−Ｉ）中、Ｒ１は炭素数１〜１４の直鎖のアルキル基、炭素数１〜１４の分岐鎖のアルキル基、炭素数１〜１４の直鎖のアルケニル基、炭素数１〜１４の分岐鎖のアルケニル基、炭素数１〜１４の直鎖のヒドロキシアルキル基、炭素数１〜１４の分岐鎖のヒドロキシアルキル基、又は水素であり、Ｒ２、及びＲ３はそれぞれ独立に、炭素数１〜５の直鎖のアルキル基、炭素数１〜５の分岐鎖のアルキル基、炭素数１〜５の直鎖のアルケニル基、炭素数１〜５の分岐鎖のアルケニル基、又は水素である。
【請求項２】
前記（Ａ）成分が、下記式（Ａ−Ｉ）で表される化合物（Ａ１）、及び下記式（Ａ−ＩＩ）で表される化合物（Ａ２）からなる群から選択される少なくとも１種を含む、請求項１に記載の液体洗浄剤組成物。
Ｒ４−Ｏ−［（ＰＯ）ｐ／（ＥＯ）ｑ］−ＳＯ３−  １／Ｘ・Ｍ＋  ・・・（Ａ−Ｉ）
Ｒ５−Ｃ６Ｈ４−ＳＯ３−  １／Ｙ・Ｚ＋  ・・・（Ａ−ＩＩ）
式（Ａ−Ｉ）中、Ｒ４は炭素数８〜１８の直鎖又は分岐鎖のアルキル基を表し；ＰＯはオキシプロピレン基を表し；ＥＯはオキシエチレン基を表し；ｐはＰＯの平均繰り返し数を表し、０≦ｐ≦１であり；ｑはＥＯの平均繰り返し数を表し、０≦ｑ≦５であり；［（ＰＯ）ｐ／（ＥＯ）ｑ］においてＥＯ及びＰＯはランダム付加であってもよくブロック付加であってもよく；Ｍ＋は対イオンであり；ＸはＭ＋の価数である。
式（Ａ−ＩＩ）中、Ｒ５は、炭素数８〜１８の直鎖又は分岐鎖のアルキル基を表し；Ｚ＋は対イオンであり；ＹはＺ＋の価数である。
【請求項３】
前記（Ｂ）成分が、前記式（Ｂ−Ｉ）中、Ｒ１が炭素数１〜１４の直鎖のヒドロキシアルキル基、又は炭素数１〜１４の分岐鎖のヒドロキシアルキル基を表し；Ｒ２、及びＲ３はそれぞれ独立に炭素数１〜５の直鎖のアルキル基、又は炭素数１〜５の分岐鎖のアルキル基を表す化合物（Ｂ１）を含有する、請求項１又は２に記載の液体洗浄剤組成物。
【請求項４】
さらにノニオン界面活性剤（Ｄ）を含む、請求項１〜３のいずれか一項に記載の液体洗浄剤組成物。
【請求項５】
前記（Ｄ）成分が、下記式（Ｄ−Ｉ）で表される化合物（Ｄ１）を含む、請求項４に記載の液体洗浄剤組成物。
Ｒ１１−Ｘ−［（ＥＯ）ｓ／（ＰＯ）ｔ］−Ｒ１２    ・・・（Ｄ−Ｉ）
式（Ｄ−Ｉ）中、Ｒ１１は炭素数６〜２２の炭化水素基を表し；Ｘは２価の連結基を表し；Ｒ１２は水素原子、炭素数１〜６のアルキル基又は炭素数２〜６のアルケニル基を表し、ＥＯはオキシエチレン基を表し、ＰＯはオキシプロピレン基を表し、ｓはＥＯの平均繰り返し数を表し、３〜１００の数であり、ｔはＰＯの平均繰り返し数を表し、０〜６の数であり、［（ＥＯ）ｓ／（ＰＯ）ｔ］においてＥＯ及びＰＯはランダム付加であってもよくブロック付加であってもよい。
【請求項６】
前記（Ｄ）成分／前記（Ｂ）成分で表される質量比が３〜１００である、請求項４又は５に記載の液体洗浄剤組成物。
【請求項７】
請求項１〜６のいずれか一項に記載の液体洗浄剤組成物が、容器に収容されてなる、液体洗浄剤組成物製品。
【発明の詳細な説明】
【技術分野】
【０００１】
本発明は、液体洗浄剤組成物に関する。
【背景技術】
【０００２】
食器、調理器具等（以下、総じて「食器」という）の被洗物を洗浄する方法としては、液体洗浄剤を直接スポンジ等の洗浄具に取って、洗浄具で被洗物を擦り洗いする方法や、食器洗い用洗剤を水で希釈して希釈液を調製し、希釈液をスポンジ等の洗浄具に取って、洗浄具で被洗物を擦り洗いする方法等が挙げられる。
【０００３】
例えば、特許文献１は、特定のアセタール誘導体、界面活性剤、ビルダー、及び水を含有する硬質表面用洗浄剤組成物について提案している。特許文献１の組成物によれば、高い洗浄力を発揮することができる。
【先行技術文献】
【特許文献】
【０００４】
【特許文献１】特開平８−３５９０号公報
【発明の概要】
【発明が解決しようとする課題】
【０００５】
しかしながら、特許文献１の液体洗浄剤では、高い洗浄力を発揮するためには被洗物を擦る必要がある。
【０００６】
本発明は、上記事情に鑑みてなされたものであり、熱や物理力をかけなくても高い洗浄力を発揮する液体洗浄剤組成物を提供することを目的とする。
【課題を解決するための手段】
【０００７】
本発明の液体洗浄剤組成物は、以下の態様を含む。
［１］  （Ａ）成分、（Ｂ）成分、及び（Ｃ）成分を含み、
前記（Ａ）成分がアニオン界面活性剤であり、
前記（Ｂ）成分が下記式（Ｂ−Ｉ）で表される化合物であり、
前記（Ｃ）成分が両性界面活性剤、及びアミンオキシド型界面活性剤からなる群から選択される少なくとも１種であり、
前記（Ａ）成分／前記（Ｂ）成分で表される質量比が０．０６〜４５である、液体洗浄剤組成物。
【化１】
2019172764.tif 000002
式（Ｂ−Ｉ）中、Ｒ１は炭素数１〜１４の直鎖のアルキル基、炭素数１〜１４の分岐鎖のアルキル基、炭素数１〜１４の直鎖のアルケニル基、炭素数１〜１４の分岐鎖のアルケニル基、炭素数１〜１４の直鎖のヒドロキシアルキル基、炭素数１〜１４の分岐鎖のヒドロキシアルキル基、又は水素であり、Ｒ２、及びＲ３はそれぞれ独立に、炭素数１〜５の直鎖のアルキル基、炭素数１〜５の分岐鎖のアルキル基、炭素数１〜５の直鎖のアルケニル基、炭素数１〜５の分岐鎖のアルケニル基、又は水素である。
［２］  前記（Ａ）成分が、下記式（Ａ−Ｉ）で表される化合物（Ａ１）、及び下記式（Ａ−ＩＩ）で表される化合物（Ａ２）からなる群から選択される少なくとも１種を含む、［１］に記載の液体洗浄剤組成物。
Ｒ４−Ｏ−［（ＰＯ）ｐ／（ＥＯ）ｑ］−ＳＯ３−  １／Ｘ・Ｍ＋  ・・・（Ａ−Ｉ）
Ｒ５−Ｃ６Ｈ４−ＳＯ３−  １／Ｙ・Ｚ＋  ・・・（Ａ−ＩＩ）
式（Ａ−Ｉ）中、Ｒ４は炭素数８〜１８の直鎖又は分岐鎖のアルキル基を表し；ＰＯはオキシプロピレン基を表し；ＥＯはオキシエチレン基を表し；ｐはＰＯの平均繰り返し数を表し、０≦ｐ≦１であり；ｑはＥＯの平均繰り返し数を表し、０≦ｑ≦５であり；［（ＰＯ）ｐ／（ＥＯ）ｑ］においてＥＯ及びＰＯはランダム付加であってもよくブロック付加であってもよく；Ｍ＋は対イオンであり；ＸはＭ＋の価数である。
式（Ａ−ＩＩ）中、Ｒ５は、炭素数８〜１８の直鎖又は分岐鎖のアルキル基を表し；Ｚ＋は対イオンであり；ＹはＺ＋の価数である。
［３］  前記（Ｂ）成分が、前記式（Ｂ−Ｉ）中、Ｒ１が炭素数１〜１４の直鎖のヒドロキシアルキル基、又は炭素数１〜１４の分岐鎖のヒドロキシアルキル基を表し；Ｒ２、及びＲ３はそれぞれ独立に炭素数１〜５の直鎖のアルキル基、又は炭素数１〜５の分岐鎖のアルキル基を表す化合物（Ｂ１）を含有する、［１］又は［２］に記載の液体洗浄剤組成物。
［４］  さらにノニオン界面活性剤（Ｄ）を含む、［１］〜［３］のいずれか一項に記載の液体洗浄剤組成物。
［５］  前記（Ｄ）成分が、下記式（Ｄ−Ｉ）で表される化合物（Ｄ１）を含む、［４］に記載の液体洗浄剤組成物。
Ｒ１１−Ｘ−［（ＥＯ）ｓ／（ＰＯ）ｔ］−Ｒ１２    ・・・（Ｄ−Ｉ）
式（Ｄ−Ｉ）中、Ｒ１１は炭素数６〜２２の炭化水素基を表し；Ｘは２価の連結基を表し；Ｒ１２は水素原子、炭素数１〜６のアルキル基又は炭素数２〜６のアルケニル基を表し、ＥＯはオキシエチレン基を表し、ＰＯはオキシプロピレン基を表し、ｓはＥＯの平均繰り返し数を表し、３〜１００の数であり、ｔはＰＯの平均繰り返し数を表し、０〜６の数であり、［（ＥＯ）ｓ／（ＰＯ）ｔ］においてＥＯ及びＰＯはランダム付加であってもよくブロック付加であってもよい。
［６］  前記（Ｄ）成分／前記（Ｂ）成分で表される質量比が３〜１００である、［４］又は［５］に記載の液体洗浄剤組成物。
［７］［１］〜［６］のいずれか一項に記載の液体洗浄剤組成物が、容器に収容されてなる、液体洗浄剤組成物製品。
【発明の効果】
【０００８】
本発明の液体洗浄剤組成物は、熱や物理力をかけなくても高い洗浄力を発揮することができる。
【図面の簡単な説明】
【０００９】
【図１】本発明の液体洗浄剤組成物製品の一例を示す正面図である。
【図２】本発明の液体洗浄剤組成物製品の他の例を示す正面図である。
【発明を実施するための形態】
【００１０】
≪液体洗浄剤組成物≫
本発明の液体洗浄剤組成物は、（Ａ）成分、（Ｂ）成分、及び（Ｃ）成分を含む。
【００１１】
＜（Ａ）成分＞
（Ａ）成分はアニオン界面活性剤である。具体的には、直鎖アルキルベンゼンスルホン酸塩、α―スルホ脂肪酸エステル塩、α−オレフィンスルホン酸塩；直鎖又は分岐鎖のアルキル硫酸エステル塩；直鎖または分岐鎖のアルキルエーテル硫酸エステル塩又はアルケニルエーテル硫酸エステル塩；直鎖または分岐鎖のアルカンスルホン酸塩などが挙げられる。これらの塩としては、ナトリウム、カリウムなどのアルカリ金属塩、マグネシウムなどのアルカリ土類金属塩、モノエタノールアミン、ジエタノールアミンなどのアルカノールアミン塩等が挙げられる。
【００１２】
（Ａ）成分は、下記式（Ａ−Ｉ）で表される化合物（Ａ１）、及び下記式（Ａ−ＩＩ）で表される化合物（Ａ２）からなる群から選択される少なくとも１種を含むことが好ましい。
Ｒ４−Ｏ−［（ＰＯ）ｐ／（ＥＯ）ｑ］−ＳＯ３−  １／Ｘ・Ｍ＋  ・・・（Ａ−Ｉ）
Ｒ５−Ｃ６Ｈ４−ＳＯ３−  １／Ｙ・Ｚ＋  ・・・（Ａ−ＩＩ）
式（Ａ−Ｉ）中、Ｒ４は炭素数８〜１８の直鎖又は分岐鎖のアルキル基を表し；ＰＯはオキシプロピレン基を表し；ＥＯはオキシエチレン基を表し；ｐはＰＯの平均繰り返し数を表し、０≦ｐ≦１であり；ｑはＥＯの平均繰り返し数を表し、０≦ｑ≦５であり；［（ＰＯ）ｐ／（ＥＯ）ｑ］においてＥＯ及びＰＯはランダム付加であってもよくブロック付加であってもよく；Ｍ＋は対イオンであり；ＸはＭ＋の価数である。
式（Ａ−ＩＩ）中、Ｒ５は、炭素数８〜１８の直鎖又は分岐鎖のアルキル基を表し；Ｚ＋は対イオンであり；ＹはＺ＋の価数である。
【００１３】
式（Ａ−Ｉ）中、Ｒ４は炭素数８〜１８の直鎖又は分岐鎖のアルキル基であり、炭素数１０〜１６が好ましく、より好ましくは炭素数１２〜１４である。Ｒ４としては、洗浄力及び環境面から、植物油脂原料由来のアルキル基であることが好ましい。好適な油脂原料としては、パーム核油、ヤシ油等が挙げられる。
ｐはＰＯの平均繰り返し数を表し、０≦ｐ≦１であり、ｐ＝０がより好ましい。
ｑはＥＯの平均繰り返し数を表し、０≦ｑ≦５であり、０≦ｑ≦４が好ましく、０≦ｑ≦２がより好ましい。
Ｍ＋は対イオンである。例えばアルカリ金属、アルカリ土類金属、アンモニウム又はアルカノールアミンのイオンであり、水溶性の塩を形成し得るものであればよい。アルカリ金属としては、ナトリウム、カリウムなどが挙げられる。アルカリ土類金属としては、カルシウム、マグネシウム、亜鉛などが挙げられる。アルカノールアミンとしては、モノエタノールアミン、ジエタノールアミン、トリエタノールアミンなどが挙げられる。
ＸはＭ＋の価数であり、１〜２が好ましい。
【００１４】
式（Ａ−ＩＩ）中、Ｒ５は、炭素数８〜１８の直鎖又は分岐鎖のアルキル基であり、炭素数１０〜１４が好ましい。
Ｚ＋は対イオンであり、Ｍ＋で説明したものと同様のものが挙げられる。
ＹはＺ＋の価数であり、１〜２が好ましい。
【００１５】
（Ａ）成分の具体例としては、直鎖アルキル（Ｃ１０〜１４）ベンゼンスルホン酸ナトリウム塩、ポリオキシエチレン（１）直鎖アルキル（Ｃ１２）硫酸エステルナトリウム塩、ポリオキシエチレン（２）直鎖アルキル（Ｃ１２）硫酸エステルナトリウム塩、ポリオキシエチレン（３）直鎖アルキル（Ｃ１２）硫酸エステルナトリウム塩、ポリオキシプロピレン（０．４）ポリオキシエチレン（１．５）直鎖アルキル（Ｃ１２）硫酸エステルナトリウム塩、ポリオキシエチレン（１）直鎖アルキル（Ｃ１２／１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩、ポリオキシエチレン（３）直鎖アルキル（Ｃ１２／１４＝７５／２５；天然油脂由来）硫酸エステルナトリウム塩、ポリオキシプロピレン（０．４）ポリオキシエチレン（１．５）直鎖アルキル（Ｃ１２／１４＝７５／２５；天然油脂由来）硫酸エステルナトリウム塩などが挙げられる。
【００１６】
なかでも、本発明の効果が特に得られやすいことから、直鎖アルキル（Ｃ１０〜１４）ベンゼンスルホン酸ナトリウム塩、ポリオキシエチレン（１）直鎖アルキル（Ｃ１２／１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩、ポリオキシエチレン（３）直鎖アルキル（Ｃ１２／１４＝７５／２５；天然油脂由来）硫酸エステルナトリウム塩、アルキル（Ｃ１２）硫酸エステルナトリウム塩が好ましい。
ここで、たとえば「ポリオキシエチレン（１）」とは、オキシエチレン基の平均繰り返し数が１（エチレンオキシドの平均付加モル数が１）であることを意味する。
「Ｃ１２／１４＝７５／２５；天然油脂由来」とは、炭素数１２の直鎖アルキル基を有するものと、炭素数１４の直鎖アルキル基を有するものとの混合物（混合比率：質量比で７５／２５）であること、天然油脂由来の直鎖状のアルキル基であることを意味する。
【００１７】
（Ａ）成分は、１種単独で用いてもよいし、２種以上を併用してもよい。
（Ａ）成分の含有量は、液体洗浄剤組成物の総質量に対して、０．５〜３０質量％が好ましく、１〜２０質量％がより好ましく、３〜１０がさらに好ましい。
（Ａ）成分の含有量が上記範囲内であると、汚れに対する浸透力を向上しやすくなり、使用性も向上しやすくなる。
【００１８】
＜（Ｂ）成分＞
（Ｂ）成分は、下記一般式（Ｂ−Ｉ）で表される化合物である。
【００１９】
【化２】
2019172764.tif 000003
【００２０】
式（Ｂ−Ｉ）中、Ｒ１は炭素数１〜１４の直鎖のアルキル基、炭素数１〜１４の分岐鎖のアルキル基、炭素数１〜１４の直鎖のアルケニル基、炭素数１〜１４の分岐鎖のアルケニル基、炭素数１〜１４の直鎖のヒドロキシアルキル基、炭素数１〜１４の分岐鎖のヒドロキシアルキル基、又は水素であり、Ｒ２、及びＲ３はそれぞれ独立に、炭素数１〜５の直鎖のアルキル基、炭素数１〜５の分岐鎖のアルキル基、炭素数１〜５の直鎖のアルケニル基、炭素数１〜５の分岐鎖のアルケニル基、又は水素である。
【００２１】
（Ｂ）成分は、式（Ｂ−Ｉ）中、Ｒ１が炭素数１〜１４の直鎖のヒドロキシアルキル基、又は炭素数１〜１４の分岐鎖のヒドロキシアルキル基を表し；Ｒ２、及びＲ３はそれぞれ独立に炭素数１〜５の直鎖のアルキル基、又は炭素数１〜５の分岐鎖のアルキル基を表す化合物（Ｂ１）を含有することが好ましい。
【００２２】
（Ｂ）成分の具体例としては、１，３−ジオキソラン、２−メチル−１，３−ジオキソラン、２，２−ジメチル−１，３−ジオキソラン、２，２−ジメチル−１，３−ジオキソラン−４−メタノール、２−イソブチル−２−メチル−１，３−ジオキソラン−４−メタノール、２，２−ジメチル−１，３−ジオキソラン−４−エタノール、２，２−ジメチル−１，３−ジオキソラン−４−プロパノール、２，２−ジメチル−１，３−ジオキソラン−４−ブタノール、２，２−ジメチル−１，３−ジオキソラン−４−ペンタノール、２，２−ジメチル−１，３−ジオキソラン−４−ヘキサノール、２，２−ジメチル−１，３−ジオキソラン−４−ヘプタノール、２−イソブチル−２−メチル−１，３−ジオキソラン−４−プロパノール、２−イソブチル−２−メチル−１，３−ジオキソラン−４−ブタノール、２−イソブチル−２−メチル−１，３−ジオキソラン−４−ペンタノール、２−イソブチル−２−メチル−１，３−ジオキソラン−４−ヘキサノール、２−イソブチル−２−メチル−１，３−ジオキソラン−４−ヘプタノールなどが上げられる。
なかでも、本発明の効果が特に得られやすいことから、２−イソブチル−２−メチル−１，３−ジオキソラン−４−メタノール、２，２−ジメチル−１，３−ジオキソラン−４−メタノールが好ましい。
【００２３】
（Ｂ）成分は、１種単独で用いてもよいし、２種以上を併用してもよい。
（Ｂ）成分の含有量は、液体洗浄剤組成物の総質量に対して、０．２〜８質量％が好ましく、０．５〜６質量％がより好ましく、１〜４質量％がさらに好ましい。
（Ｂ）成分の含有量が上記範囲内であると、汚れに対する浸透力を向上しやすくなる。
【００２４】
（Ａ）成分／（Ｂ）成分で表される質量比（以下「Ａ／Ｂ比」ともいう）は、０．０６〜４５であり、０．４〜１６が好ましく、１〜７．５がより好ましい。
Ａ／Ｂ比が上記範囲内であると、汚れに対する浸透洗浄力を向上しやすくなる。
【００２５】
＜（Ｃ）成分＞
（Ｃ）成分は、両性界面活性剤、及びアミンオキシド型界面活性剤からなる群から選択される少なくとも１種である。
両性界面活性剤としては、ベタイン型界面活性剤が挙げられ、アルキルジメチルアミノ酢酸ベタイン、脂肪酸アミドプロピルジメチルアミノ酢酸ベタイン、アルキルヒドロキシスルホベタイン、脂肪酸アミドヒドロキシスルホベタイン等が挙げられる。
なかでも、脂肪酸アミド基を有する、脂肪酸（炭素数８以上、２２以下）アミドプロピルジメチルアミノ酢酸ベタイン及び脂肪酸（炭素数８以上、２２以下）アミドプロピルヒドロキシスルホベタインからなる群から選ばれるベタイン型両性界面活性剤が好ましい。
脂肪酸（炭素数８以上、２２以下）アミドプロピルジメチルアミノ酢酸ベタインとしては、ラウリン酸アミドプロピルジメチルアミノ酢酸ベタイン、ヤシ油脂肪酸アミドプロピルジメチルアミノ酢酸ベタインがより好ましい。
（Ｃ）成分としては、好ましくは炭素数８〜２２、より好ましくは炭素数１０〜１８、さらに好ましくは１２〜１６のアルキル基を有するベタイン型両性界面活性剤が好ましい。
具体的には、ラウリン酸アミドプロピルジメチルアミノ酢酸ベタイン（エナジーコール  Ｌ−３０Ｂ、ライオン製）、ヤシ油脂肪酸アミドプロピルジメチルアミノ酢酸ベタイン（Ｔｅｇｏ  Ｂｅｔａｉｎ  Ｌ７，  Ｅｖｏｎｉｃ製）などが挙げられる。
【００２６】
両性界面活性剤は、下記一般式（Ｃ−Ｉ）で表される化合物を用いることが好ましい。
Ｒ２−（Ａ）ｐ−Ｎ＋（−Ｒ３）（−Ｒ４）−Ｒ５−Ｒ６  …（Ｃ−Ｉ）
式（Ｃ−Ｉ）中、Ｒ２は炭素数８〜１８の直鎖又は分岐鎖のアルキル基を表し、Ｒ３及びＲ４はそれぞれ独立に、炭素数１〜３のアルキル基又はヒドロキシアルキル基を表し、Ａは−Ｃ＝Ｏ（−ＮＨ−Ｘ）−を表し、Ｘは炭素数１〜４のアルキレン基を表し、ｐは０又は１の数であり、Ｒ５は炭素数１〜２のアルキレン基を表し、Ｒ６は−ＣＯ２−又は−ＳＯ３−を表す。
【００２７】
アミンオキシド型界面活性剤としては、たとえばアルキルアミンオキシド、アルキルアミドプロピルジメチルアミンオキシドが挙げられる。なかでも下記一般式（Ｃ−ＩＩ）で表される化合物が好適なものとして挙げられる。
【００２８】
【化３】
2019172764.tif 000004
【００２９】
前記式（Ｃ−ＩＩ）中、Ｒ１０は、炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり、Ｒ７、及びＲ８は、それぞれ独立して、炭素数１〜３のアルキル基、又は炭素数１〜３のヒドロキシアルキル基であり、Ｒ９は炭素数１〜４のアルキレン基であり、Ｂは−ＣＯＮＨ−、−ＮＨＣＯ−、−ＣＯＯ−、−ＯＣＯ−又は−Ｏ−であり、ｒは０又は１の数である。
【００３０】
Ｒ１０のアルキル基、アルケニル基において、炭素数は８〜１８であり、１０〜１４であることが好ましい。
Ｒ７、Ｒ８は、それぞれ独立して、炭素数１〜３のアルキル基、又は炭素数１〜３のヒドロキシアルキル基であり、炭素数１〜３のアルキル基が好ましく、メチル基がより好ましい。Ｒ７、Ｒ８はいずれもメチル基であることがさらに好ましい。
ｒは、０又は１の数であり、０が好ましい。
【００３１】
アミンオキシド型界面活性剤として具体的には、ラウリルジメチルアミンオキシド、ヤシアルキルジメチルアミンオキシド、ラウリルジエチルアミンオキシド、ｎ−ドデシルジメチルアミンオキシド等のアルキルジメチルアミンオキシド系のもの；ラウリン酸アミドプロピルアミンオキシド等のアルカノイルアミドアルキルジメチルアミンオキシド系のもの等が挙げられる。なかでも、アルキルジメチルアミンオキシド系のものがより好ましい。
【００３２】
（Ｃ）成分は、１種単独で用いてもよいし、２種以上を併用してもよい。
（Ｃ）成分の含有量は、液体洗浄剤組成物の総質量に対して、０．０５〜５質量％が好ましく、０．１〜３質量％がより好ましく、０．２〜１質量％がさらに好ましい。
（Ｃ）成分の含有量が上記範囲内であると、汚れに対する浸透洗浄力を向上しやすくなる。
【００３３】
＜（Ｄ）成分＞
（Ｄ）成分はノニオン界面活性剤である。
（Ｄ）成分としては、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、ソルビタン脂肪酸エステル等の糖脂肪酸エステル、Ｎ−アルキルポリヒドロキシ脂肪酸アミド、アルキルグリコシドなどが挙げられる。
【００３４】
（Ｄ）成分としては、上記の中でも、粘度及び液安定性の点で、ポリオキシアルキレン型ノニオン界面活性剤が好ましい。
ポリオキシアルキレン型ノニオン界面活性剤としては、例えば、下記一般式（Ｄ−Ｉ）で表される化合物（以下、「化合物（Ｄ１）」ということがある。）が挙げられる。
Ｒ１１−Ｘ−［（ＥＯ）ｓ／（ＰＯ）ｔ］−Ｒ１２    ・・・（Ｄ−Ｉ）
【００３５】
式（Ｄ−Ｉ）中、Ｒ１１は炭素数６〜２２の炭化水素基であり、Ｘは２価の連結基であり、Ｒ１２は水素原子、炭素数１〜６のアルキル基又は炭素数２〜６のアルケニル基であり、ＥＯはオキシエチレン基を表し、ＰＯはオキシプロピレン基を表し、ｓはＥＯの平均繰り返し数を表し、３〜１００の数であり、ｔはＰＯの平均繰り返し数を表し、０〜６の数である。
【００３６】
式（Ｄ−Ｉ）中、Ｒ１１の炭化水素基の炭素数は、６〜２２であり、８〜２２が好ましく、１０〜１８がより好ましい。Ｒ１１の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられる。
Ｒ１２におけるアルキル基の炭素数は、１〜６であり、１〜３が好ましい。
Ｒ１２におけるアルケニル基の炭素数は、２〜６であり、２〜３が好ましい。
【００３７】
−Ｘ−が−Ｏ−、−ＣＯＯ−又は−ＣＯＮＨ−である化合物（Ｄ１）は、第１級もしくは第２級の高級アルコール（Ｒ１１−ＯＨ）、高級脂肪酸（Ｒ１１−ＣＯＯＨ）又は高級脂肪酸アミド（Ｒ１１−ＣＯＮＨ）を原料として得られる。これら原料におけるＲ１１は、式（Ｄ−Ｉ）中のＲ１１と同じである。
【００３８】
ｓは、ＥＯの平均繰り返し数（すなわち、エチレンオキシドの平均付加モル数）を表す３〜１００の数であり、５〜５０が好ましい。上記上限値超では、ＨＬＢ値が高くなりすぎて油汚れに対する洗浄力が低下するおそれがある。上記下限値未満では、（Ｄ）成分自体の原料臭気の劣化を生じるおそれがある。
ｔは、ＰＯの平均繰り返し数（すなわち、プロピレンオキシドの平均付加モル数）を表す０〜６の数であり、０〜３が好ましい。上記上限値超では、洗浄剤組成物の高温下での液安定性が低下する傾向にある。
【００３９】
ｔが１以上の場合、すなわち、化合物（Ｄ１）がＥＯ及びＰＯを有する場合、エチレンオキシド及びプロピレンオキシドの付加方法は特に限定されず、例えば、ランダム付加方法でもよく、ブロック付加方法でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレンオキシドを付加し、さらにエチレンオキシドを付加する方法などが挙げられる。
【００４０】
化合物（Ｄ１）としては、特に、−Ｘ−が−Ｏ−である化合物（アルコール型ノニオン界面活性剤）、又は、−Ｘ−が−ＣＯＯ−であり、Ｒ１２が炭素数１〜６のアルキル基もしくは炭素数２〜６のアルケニル基である化合物（脂肪酸アルキル（アルケニル）エステル）が好ましい。
【００４１】
−Ｘ−が−Ｏ−である場合、Ｒ１１の炭素数は１０〜２２が好ましく、１０〜２０がより好ましく、１０〜１８がさらに好ましい。−Ｘ−が−Ｏ−である場合、Ｒ１２は水素原子が好ましい。
【００４２】
−Ｘ−が−ＣＯＯ−である場合、Ｒ１１の炭素数は９〜２１が好ましく、１１〜２１がより好ましい。−Ｘ−が−ＣＯＯ−である場合、Ｒ１２は炭素数１〜６のアルキル基又は炭素数２〜６のアルケニル基が好ましく、炭素数１〜３のアルキル基がより好ましい。
【００４３】
−Ｘ−が−Ｏ−又は−ＣＯＯ−である化合物（Ｄ１）としては、例えば、三菱化学株式会社製のＤｉａｄｏｌ（商品名、Ｃ１３（Ｃは炭素数を示す。以下同様。））、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコールに対して、１２モル相当又は１５モル相当のエチレンオキシドを付加したもの；プロクター・アンド・ギャンブル社製のＣＯ−１２１４又はＣＯ−１２７０（商品名）等の天然アルコールに対して、１２モル相当又は１５モル相当のエチレンオキシドを付加したもの；ブテンを３量化して得られるＣ１２アルケンをオキソ法に供して得られるＣ１３アルコールに対して、７モル相当のエチレンオキシドを付加したもの（商品名：Ｌｕｔｅｎｓｏｌ  ＴＯ７、ＢＡＳＦ社製）；ペンタノールをガーベット反応に供して得られるＣ１０アルコールに対して、９モル相当のエチレンオキシドを付加したもの（商品名：Ｌｕｔｅｎｓｏｌ  ＸＰ９０、ＢＡＳＦ社製）；ペンタノールをガーベット反応に供して得られるＣ１０アルコールに対して、７モル相当のエチレンオキシドを付加したもの（商品名：Ｌｕｔｅｎｓｏｌ  ＸＬ７０、ＢＡＳＦ社製）；ペンタノールをガーベット反応に供して得られるＣ１０アルコールに対して、６モル相当のエチレンオキシドを付加したもの（商品名：Ｌｕｔｅｎｓｏｌ  ＸＡ６０、ＢＡＳＦ社製）；炭素数１２〜１４の第２級アルコールに対して、５モル相当又は７モル相当又は９モル相当又は１５モル相当のエチレンオキシドを付加したもの（商品名：ソフタノール５０、ソフタノール７０、ソフタノール９０、ソフタノール１５０、株式会社日本触媒（株）製）；ヤシ脂肪酸メチル（ラウリン酸／ミリスチン酸＝８／２）に対して、アルコキシル化触媒を用いて、１５モル相当のエチレンオキシドを付加したもの（ポリオキシエチレンヤシ脂肪酸メチルエステル（ＥＯ１５モル））などが挙げられる。
【００４４】
（Ｄ）成分は、１種単独で用いてもよいし、２種以上を併用してもよい。
本発明の液体洗浄剤組成物が（Ｄ）成分を含む場合、（Ｄ）成分の含有量は、液体洗浄剤組成物の総質量に対して、０．０２〜０．５質量％が好ましく、０．０４〜０．３質量％がより好ましく、０．０６〜０．２質量％がさらに好ましい。
（Ｄ）成分の含有量が上記範囲内であると、汚れに短時間接触させただけで充分な浸透洗浄力が得られやすくなる。
【００４５】
本発明の液体洗浄剤組成物が（Ｄ）成分を含む場合、（Ｄ）成分／（Ｂ）成分で表される質量比（以下「Ｄ／Ｂ比ともいう」）は、３〜１０５が好ましく、５．５〜５２がより好ましく、９〜３４がさらい好ましい。
Ｄ／Ｂ比が上記範囲内であると、汚れに短時間接触させただけで充分な浸透洗浄力が得られやすくなる。
【００４６】
＜その他の成分＞
本発明の液体洗浄剤組成物には、（Ａ）〜（Ｄ）成分以外の任意成分が含まれていてもよい。任意成分の種類及び量は、本発明の趣旨を損なわない範囲であれば特に限定されず、公知の液体洗浄剤に配合される成分が適用可能である。この様な任意成分としては、例えば、増粘高分子、液性安定化剤、ｐＨ調整剤、水等が挙げられる。
【００４７】
増粘高分子としては、セルロース系、ポリカルボン酸系、ポリアクリル酸系、ポリアミン系、ポリアルキレンイミン系、でんぷん系などが挙げられる。中でも、使用性の観点から、セルロース系高分子が好ましく、カルボキシメチルセルロース系高分子がより好ましい。
【００４８】
液性安定化剤としては、クエン酸、エチレンジアミン四酢酸、ニトリロ三酢酸、グルコン酸、アスコルビン酸、メチルグリシン二酢酸、イミノジコハク酸、グルタミン酸二酢酸などが挙げられる。塩型として使用してもよく、その場合、対イオンの種類としては、ナトリウム等のアルカリ金属、マグネシウム等のアルカリ土類金属、亜鉛などの遷移金属が挙げられる。中でも、液安定性の観点から、クエン酸またはその塩が好ましく、塩型の場合、対イオンがナトリウムであるものがより好ましい。
【００４９】
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
【００５０】
本発明の液体洗浄剤組成物の２５℃におけるｐＨは、６以上が好ましく、８以上がより好ましく、１０以上がさらに好ましい。ｐＨが上記範囲内であると、液安定性を維持し、汚れに対する浸透洗浄力を向上しやすくなる。
また、安全性の観点からｐＨは１２．５以下が好ましい。
本発明において、液体洗浄剤組成物のｐＨ（２５℃）は、ＪＩＳ  Ｚ  ８８０２：１９８４「ｐＨ測定方法」に準拠した方法により測定される値を示す。
【００５１】
本発明の液体洗浄剤組成物の粘度は５００〜１００００ｍＰａ・ｓが好ましく、１０００〜５０００ｍＰａ・ｓがより好ましい。
粘度が上記範囲内であると、吐出容器を用いて液体洗浄剤組成物を吐出しやすくなり、使用性を向上しやすくなる。
粘度は、２５℃の液体洗浄剤組成物をＢ型粘度計で測定した値である。粘度の測定条件は、以下の通りである。
測定条件：
［ローター］
測定対象の粘度に対応するローター番号、ローター回転数は、下記の通りである。
・粘度が５００ｍＰａ・ｓ未満：ローター番号Ｎｏ．２、回転数６０ｒｐｍ。
・粘度が５００ｍＰａ・ｓ以上２０００ｍＰａ・ｓ未満：ローター番号Ｎｏ．３、回転数６０ｒｐｍ。
・粘度が２０００ｍＰａ・ｓ以上１００００ｍＰａ・ｓ未満：ローター番号Ｎｏ．４、回転数６０ｒｐｍ。
・粘度が１００００ｍＰａ・ｓ以上５００００ｍＰａ・ｓ未満：ローター番号Ｎｏ．４、回転数１２ｒｐｍ。
［数値の読み取り］
ローターの回転の開始から６０秒後。
【００５２】
≪製造方法≫
本発明の液体洗浄剤組成物の製造方法としては特に制限されない。例えば、（Ａ）〜（Ｃ）成分と、溶媒である水と、必要に応じて（Ｄ）成分及び任意成分とを混合することにより製造される。
【００５３】
≪使用方法≫
本発明の液体洗浄剤組成物の使用方法としては、液体洗浄剤組成物又は液体洗浄剤組成物の希釈液を吐出容器に収容し、この吐出容器から、適量の液体洗浄剤組成物を被洗物に付着させ、一定時間静置後に水ですすぐ方法（擦らず洗い）や、液体洗浄剤組成物又は液体洗浄剤組成物の希釈液をスポンジ等の洗浄具にとり、洗浄具で被洗物を擦り、水ですすぐ方法（擦り洗い）等が挙げられる。特に、擦らず洗いに好ましく使用できる。
擦らず洗いをする場合、本発明の液体洗浄剤組成物を被洗物に付着させ、静置する時間は、１５〜６０秒が好ましく、３０〜６０秒がより好ましい。静置する時間が上記範囲内であると、汚れに対する浸透洗浄力をより向上しやすくなる。
本発明の液体洗浄剤組成物の用途は特に限定されない。例えば、繊維製品の洗濯用、食器洗い用、浴室の洗浄用、トイレの洗浄用等の用途が挙げられる。なかでも食器洗い用として使用することが好ましい。
【００５４】
≪液体洗浄剤組成物製品≫
本発明の液体洗浄剤組成物製品は、本発明の液体洗浄剤組成物が、容器に収容されてなる。
図１は本発明の液体洗浄剤組成物製品の一例を示す正面図である。図１の液体洗浄剤組成物製品１は、液体洗浄剤組成物１０を収容する容器本体１００と、支持本体１１０とを備えるトリガー式スプレー容器である。
パイプ１０８が支持本体１１０から容器本体１００の中へ伸びており、パイプ１０８の先端部が液体洗浄剤組成物１０に侵入している。作動レバー１２０は支持本体１１０に組み込まれている。支持本体１１０の先端には開閉可能なキャップ１２０が設けられている。
【００５５】
例えば、液体洗浄剤組成物製品１を擦らず洗いで使用する場合には、キャップ１２０を開け、支持本体１１０の先端を被洗物に向ける。作動レバー１２０をパイプ１０８側に押すと、液体洗浄剤組成物１０がパイプ１０８を通して吸い上げられ、支持本体１１０の先端から吐出される。吐出された液体洗浄剤組成物１０は、被洗物に付着する。液体洗浄剤組成物１０が付着した被洗物を一定時間静置後、水ですすぐことにより、擦らず洗いを実施することができる。
吐出される液体洗浄剤組成物１０は、泡状であることが好ましい。泡状であることにより被洗物の汚れに付着しやすくなるため、使用性、浸透洗浄力を向上しやすくなる。
【００５６】
容器本体１００の少なくとも一部の光透過率は１０％以上であることが好ましい。これにより、液体洗浄剤組成物１０の残存量を外側から視認することができる。なお、本明細書において、光透過率は２００〜７００ｎｍの波長領域における値であり、日立製作所製Ｕ−３３１０型分光光度計（６０ｍｍΦ積分球付属装置）を用いて透過スペクトル及び透過率を測定して求めることができる。
【００５７】
容器本体１００は、プラスチック製容器が好ましい。
プラスチック製容器の構成材料としては、ポリエチレン（ＰＥ）、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。
【００５８】
図２は、本発明の液体洗浄剤組成物製品の他の例を示す正面図である。図２の液体洗浄剤組成物製品２は、液体洗浄剤組成物１０ａを収容する容器本体１００ａと、キャップ１４０とを備えるスクイズ式スプレー容器である。
【００５９】
例えば、液体洗浄剤組成物製品２を擦らず洗いで使用する場合には、キャップ１４０を外し、容器本体１００ａの先端を被洗物に向ける。容器本体１００ａの側面を内側に押し込み、液体洗浄剤組成物１０ａを容器本体１００ａの先端から吐出させる。吐出された液体洗浄剤組成物１０ａは、被洗物に付着する。液体洗浄剤組成物１０ａが付着した被洗物を一定時間静置後、水ですすぐことにより、擦らず洗いを実施することができる。
吐出される液体洗浄剤組成物１０ａは、泡状であることが好ましい。泡状であることにより被洗物の汚れに付着しやすくなるため、使用性、浸透洗浄力を向上しやすくなる。
【００６０】
容器本体１００ａの少なくとも一部の光透過率は１０％以上であることが好ましい。これにより、液体洗浄剤組成物１０ａの残存量を外側から視認することができる。
容器本体１００ａは可撓性容器であることが好ましい。「可撓性」とは、容器内の圧力が変化した際に、容器が破損せずに柔軟に変形することをいう。
可撓性容器としては、プラスチック製容器が好ましい。
プラスチック製容器の構成材料としては、上記容器本体１００で述べたものと同様のものが挙げられる。
【実施例】
【００６１】
以下に実施例を用いて本発明をさらに詳しく説明するが、本発明はこれら実施例に限定されるものではない。
【００６２】
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００６３】
＜（Ａ）成分＞
・Ａ−１：直鎖アルキルベンゼンスルホン酸ナトリウム（アルキル基の炭素数：１０〜１４、純度５０％）、式（Ａ−ＩＩ）中、Ｒ５が炭素数１０〜１４のアルキル基、Ｙが１、Ｚ＋がナトリウムイオンである化合物（ライオン・スペシャリティ・ケミカルズ製  ライポン  ＬＳ−２５０）。
・Ａ−２：ラウリル硫酸ナトリウム（純度３３％）（ライオン・スペシャリティ・ケミカルズ製  サンノール  ＬＭ−１１３０）、式（Ａ−Ｉ）中、Ｒ４がドデシル基、ｐが０、ｑが０、Ｘが１、Ｍ＋がナトリウムイオンである化合物。
・Ａ−３：ポリオキシエチレンアルキルエーテル硫酸ナトリウム（アルキル基の炭素数：１２および１４で比率が１２：１４＝７５：２５天然アルコール由来。平均ＥＯ付加モル数２、純度７０％）（新日本理化製  シノリン  ＳＰＥ−１２５０）、式（Ａ−Ｉ）中、Ｒ４が炭素数１２〜１４のアルキル基、ｐが０、ｑが２、Ｘが１、Ｍ＋がナトリウムイオンである化合物。
【００６４】
＜（Ｂ）成分＞
・Ｂ−１：２−イソブチル−２−メチル−１，３−ジオキソラン−４−メタノール（Ｒｈｏｄｉａ  Ｐｏｌｉａｍｉｄａ  ｅ  Ｅｓｐｅｃｉａｌｉｄａｄｅｓ  Ｌｔｄａ製  Ａｕｇｅｏ  Ｃｌｅａｎ  Ｐｌｕｓ    純度９９．５％）、式（Ｂ−Ｉ）中、Ｒ１がヒドロキシメチル基、Ｒ２がイソブチル基、Ｒ３がメチル基である化合物。
・Ｂ−２：２，２−ジメチル−１，３−ジオキソラン−４−メタノール（Ｒｈｏｄｉａ  Ｐｏｌｉａｍｉｄａ  ｅ  Ｅｓｐｅｃｉａｌｉｄａｄｅｓ  Ｌｔｄａ製  Ａｕｇｅｏ  Ｃｌｅａｎ  Ｍｕｌｔｉ  純度９９．５％）、式（Ｂ−１）中、Ｒ１がヒドロキシメチル基、Ｒ２がメチル基、Ｒ３がメチル基である化合物。
・Ｂ−３：１，３−ジオキソラン（関東化学株式会社製  純度９８％）、式（Ｂ−Ｉ）中、Ｒ１が水素、Ｒ２が水素、Ｒ３が水素である化合物。
・Ｂ−４：２，２−ジメチル−１，３−ジオキソラン（関東化学株式会社製  純度９８％）、式（Ｂ−Ｉ）中、Ｒ１が水素、Ｒ２がメチル基、Ｒ３がメチル基である化合物。
【００６５】
＜（Ｃ）成分＞
・Ｃ−１：ヤシ油アルキルジメチルアミンオキシド（東邦化学工業製、カチナールＡＯＣ、純度３０％）、式（Ｃ−ＩＩ）中、Ｒ６は炭素数１２〜１６のアルキル基、ｒは０、Ｒ７はメチル基、Ｒ８はメチル基である化合物。
・Ｃ−２：ラウリルジメチルアミンオキシド（ライオン・スペシャリティ・ケミカルズ製、カデナックス  ＤＭ１２Ｄ−Ｗ（Ｃ）、純度  ３３％）、式（Ｃ−ＩＩ）中、Ｒ６はドデシル基、ｒは０、Ｒ７はメチル基、Ｒ８はメチル基である化合物。
・Ｃ−３：ヤシ油脂肪酸アミドプロピルジメチルアミノ酢酸ベタイン、（Ｅｖｏｎｉｃ製、Ｔｅｇｏ  Ｂｅｔａｉｎ  Ｌ７、純度３０％）式（Ｃ−Ｉ）中、Ｒ２は炭素数１１〜１５のアルキル基、Ａは−Ｃ＝Ｏ（−ＮＨ−Ｘ）−、Ｘは−（ＣＨ２）３−、Ｒ３はメチル基、Ｒ４はメチル基、Ｒ５は−ＣＨ２−、Ｒ６は−ＣＯ２−である化合物。
【００６６】
＜（Ｄ）成分＞
・Ｄ−１：ポリオキシエチレン・ポリオキシプロピレン共重合アルキルエーテル（アルキル基の炭素数：６〜１６、Ｄｏｗ  Ｃｈｅｍｉｃａｌ製、Ｅｃｏｓｕｒｆ  ＳＡ−７，純度９６％）。
・Ｄ−２：アルキルポリグリコシド（ＢＡＳＦ社製、Ｇｌｕｃｏｐｏｎ  ６５０  ＥＣ、アルキル基の炭素数：１２〜１４  純度５１．５％）。
・Ｄ−３：ヤシ油脂肪酸ジエタノールアミド（川研ファインケミカル製、  アミゾール  ＣＤＥ−Ｇ）。
・Ｄ−４：２−エチルヘキシルグリセリルエーテル（日本サーファクタント工業製、ニコガード８８）。
・Ｄ−５：ＭＧＡ、Ｎ−メチルヤシ油脂肪酸グルカミド（クラリアント製、Ｇｌｕｃｏｐｕｒｅ  ＤＥＧ  純度６３％）。
【００６７】
＜任意成分＞
・クエン酸塩：クエン酸３ナトリウム・２水和物（和光純薬工業株式会社製  純度９９％）。
・ＣＭＣ：カルボキシメチルセルロースナトリウム（ダイセル化学工業株式会社製  ＣＭＣ１２６０  純度９９．７％）。
・ｐＨ調整剤：水酸化ナトリウム（関東化学株式会社製、水酸化ナトリウム）、硫酸（関東化学株式会社製  硫酸）。
【００６８】
＜液体洗浄剤組成物の調製＞
表に示す組成の液体洗浄剤組成物１０００ｇを下記の手順で調製した。
１Ｌビーカーに（Ａ）成分、（Ｂ）成分、及び（Ｃ）成分、必要に応じて（Ｄ）成分、及び任意成分を入れ、全体量が９５質量％になるようにイオン交換水を添加し、スリーワンモータ（製品名：ＦＢＬ６００、新東科学製）で均一になるまで攪拌した。２５℃でのｐＨが１０．５になるようにｐＨ調整剤を適量添加した後、全体量が１００質量％になるようにイオン交換水を入れ、均一になるまで撹拌し、液体洗浄剤組成物を得た。
なお、上記ｐＨは、２５℃に調温し、ガラス電極式ｐＨメーター（製品名：ＨＭ−３０Ｇ、東亜ディーケーケー（株）製）を用い、ガラス電極を組成物に直接に浸漬し、１分間経過後に示すｐＨを測定した。
【００６９】
［浸透洗浄力評価試験法１］
日清サラダ油（食用菜種油および大豆油の混合。日清オイリオ製）に対し、視認性を上げる為に、重量で０．１％となるようにＳｕｄａｎ  ＩＶを均一溶解させたものを評価用汚垢とした。調製した汚垢を、幅３ｍｍ深さ３ｍｍの溝を有するポリエチレン製の蓋（岩崎工業株式会社製、ラストロ・ネオキーパー８７０ｍＬ）に対し、電子天秤で軽量しながら、ポリスポイトを用いて０．５ｇを均一に塗布し、室温２５℃で１時間静置した。上記の汚垢付着溝に対し、各実施例および比較例のサンプル４ｍＬを、ピペッターを用いて均一に塗布し、６０秒間静置した。上記の後に、２５℃流速６Ｌ／ｍｉｎの流水で、溝を満遍なく十分にすすぎ、汚垢の残りを目視にて確認し、以下の評価基準で５段階に評価した。
［評価基準］
◎◎：汚垢の残りが全く無い。
◎：汚垢の残りが殆ど無い。
○：汚垢の残りは僅かである。
△：汚垢の残りがやや多い。
×：汚垢の残りが非常に多い。
【００７０】
［浸透洗浄力評価試験法２］
日清サラダ油（食用菜種油および大豆油の混合。日清オイリオ製）に対し、視認性を上げる為に、重量で０．１％となるようにＳｕｄａｎ  ＩＶを均一溶解させたものを評価用汚垢とした。調製した汚垢を、幅３ｍｍ深さ３ｍｍの溝を有するポリエチレン製の蓋（岩崎工業株式会社製、ラストロ・ネオキーパー８７０ｍＬ）に対し、電子天秤で軽量しながら、ポリスポイトを用いて０．５ｇを均一に塗布し、室温２５℃で１時間静置した。上記の汚垢付着溝に対し、各実施例および比較例のサンプル４ｍＬを、ピペッターを用いて均一に塗布し、１５秒間静置した。上記の後に、２５℃流速６Ｌ／ｍｉｎの流水で、溝を満遍なく十分にすすぎ、汚垢の残りを目視にて確認し、以下の評価基準で５段階に評価した。
［評価基準］
◎◎：汚垢の残りが全く無い。
◎：汚垢の残りが殆ど無い。
○：汚垢の残りは僅かである。
△：汚垢の残りがやや多い。
×：汚垢の残りが非常に多い。
【００７１】
[総合評価]
［浸透洗浄力評価試験法１］及び［浸透洗浄力評価試験法２］の評価結果から、以下の評価基準で５段階に評価した。◎◎、◎、〇、△を合格とする。
[評価基準]
◎◎：［浸透洗浄力評価試験法１］及び［浸透洗浄力評価試験法２］の評価結果がいずれも◎◎。
◎：［浸透洗浄力評価試験法１］の評価結果が◎◎、かつ［浸透洗浄力評価試験法２］の評価結果が◎、〇、△のいずれか。
〇：［浸透洗浄力評価試験法１］の評価結果が◎。
△：［浸透洗浄力評価試験法１］の評価結果が〇。
×：［浸透洗浄力評価試験法１］の評価結果が△又は×。
【００７２】
【表１】
2019172764.tif 000005
【００７３】
【表２】
2019172764.tif 000006
【００７４】
【表３】
2019172764.tif 000007
【００７５】
【表４】
2019172764.tif 000008
【００７６】
本発明を適用した実施例１〜２６の液体洗浄剤組成物は、汚れに対する浸透洗浄力に優れていた。
（Ａ）成分を含まない比較例１は、汚れに対する浸透洗浄力に劣っていた。
（Ｂ）成分を含まない比較例２は、汚れに対する浸透洗浄力に劣っていた。
（Ｃ）成分を含まない比較例３は、汚れに対する浸透洗浄力に劣っていた。
Ａ／Ｂ比が４５超である比較例４は、汚れに対する浸透洗浄力に劣っていた。
Ａ／Ｂ比が０．０６未満である比較例５は、汚れに対する浸透洗浄力に劣っていた。
【符号の説明】
【００７７】
１、２  液体洗浄剤組成物製品
１０、１０ａ  液体洗浄剤組成物
１００、１００ａ  容器本体
１０８  パイプ
１１０  支持本体
１２０  作動レバー
１３０、１４０  キャップ
【図１】
2019172764.tif 000010
【図２】
2019172764.tif 000011